(57)【要約】【課題】さまざまなテーブルを分割し、分割ユニットが多数集合してテーブルとなるが、分割ユニットの形状を取り替える甲板に合わせて自由自在に変形せしめうる支持体と分割甲板とで構成されたテーブル装置を提供する。【解決手段】左右の支持体を３関節丁番で連接し、中心角を自在に変形しうるよう構成された支持体と一体に固定される分割甲板とからなることを特徴とする分割ユニットテーブル装置。【選択図】図７
2010000326.tif 000002
【特許請求の範囲】
【請求項１】
テーブル甲板を支持する左右の甲板支持パネルが、一端側を多関節丁番で連結され、他端側がフリーであることで、テーブル甲板の形に追随して移動し、動きをとめるよう固定されることで、テーブル甲板と一体となり、テーブル分割ユニットを構築し、これらが多数集められることで、全体のテーブルを構成することを特徴とする甲板支持パネルと甲板からなるテーブル装置。
【請求項２】
請求項１の左右の甲板支持パネルに、分割された甲板複数枚を丁番にて吊り下げ、必要に応じて、立て起こし、分割されたユニットを構築することを特徴とするテーブル装置。
【発明の詳細な説明】
【技術分野】
【０００１】この発明は、食卓や会議テーブルに使用されるテーブル装置に関する。
【背景技術】
【０００２】現在、テーブルの大きさを変えることが可能なものとしては、長方形のものがあるが、円卓では、長方形のものの両端を丸めた楕円形のものしかない。円卓においては、円卓を構成する分割円卓ユニットがあるが、固定的なもので、すこし違うサイズのものを必要とする場合に困っていた。
【発明の開示】
【０００３】円卓の甲板は、分割されて並べ替えられるが、甲板の支持体が甲板と一体で固定的であるため、並べ替えも限定的で、融通の効かないこととなっていた。そのために、何種類もの分割円卓ユニットが必要となり、かつ、小さく折り畳めないため保管場所に困っていた。
【発明が解決しようとする課題】
【０００４】この発明では、甲板支持体を甲板の形状に合わせて、移動が可能とすることで、保管されている何種類かの甲板から必要に応じて、別の甲板に取り替えたとき、甲板支持体を移動させることができ、甲板の形にほぼ沿うように形成される可変分割テーブルユニットであり、何種類もの形状の違うテーブルに作り変えうることを目的とする。また、非使用時は、折り畳み収納することが可能であり、保管場所を小さくすることを目的とする。
【問題を解決するための手段】
【０００５】この発明では、テーブルの甲板を左右の支持パネルで支え、その一端側を多関節丁番で繋ぎ、他端側をフリーとすることで、取り替えられた甲板の両側線で挟む中心角の変化に左右の支持パネルが追従し、変形対応せしめることを可能とした。
【０００６】甲板は、テーブルの分割数とゆったり度に応じてあらかじめ製作されていて、適当な保管場所から速やかに取り出され、取り付けられる。保管場所としては、たとえば、左右支持パネルの側面にアングル丁番にて取り付けられる。また、小さな甲板の場合は、椅子の下部に収納箱を取り付けて、数枚の甲板を保管することが出来る。
【発明の効果】
【０００７】この発明によれば、分割されたテーブル甲板をあらかじめ選んで置けば、簡単に、さまざまな分割テーブルユニットが構築でき、複数個、分割テーブルユニットを集めれば、さまざまな形状のテーブル装置を構築することが可能となる。たとえば、円卓、長方形卓、円卓に長方形卓を組み合わせた物などを構築することが出来る。
【０００８】甲板は支持パネル上部の固定を開放すれば、支持パネル内に収納でき、左右の支持パネルを抱き合わせるように折り畳み、コンパクトに片付けることが可能となる。
【発明を実施するための最良の形態】
【０００９】図１は、左右で構成される甲板支持体のうち、一方側支持体５０の斜視図で、パネル１は、前方にラウンド形状の前飾り面２を持ち、後方はやや斜めの傾斜面３を持つように加工されている。前飾り面２はパネル１の厚みより厚くＬ型形状をなし、そのＬ型形状の中に、アングル丁番５に吊り下げられた分割甲板４と反対側支持体５１も入って隠れてしまう厚みがある。パネル１の下部にはキャスター８が取り付けられ、可動範囲には欠きこみ６がなされている。図ではキャスター８が支持体５０の厚みに隠れてみえていないが２個ついている。これにより、一方側支持体５０を自由に動かすことができる。【００１０】図２は、反対側支持体５１の斜視図で、パネル６の前方７はＲ形状に加工され、パネル１の前飾り面２の中に納まるようになっている。種類、サイズが違う別の分割甲板７がアングル丁番５によって吊り下げられている。下部にはキャスター８があり、自由に動かすことが出来るようになされている。【００１１】図３は、一方側支持体５０と他方側支持体５１とが丁番９で連結され、３箇所の関節１０で開閉自在にとなっている状態の斜視図である。丁番９は、パネルの後方傾斜面３に取り付けられることで、丁番９のピン軸の位置がよりパネルに近く、強固に取り付けられる。このことにより、左右支持体５０，５１をより小さく折り畳むことが可能となる。一方側支持体５０および他方側支持体５１の前方側それぞれに分割甲板固定金具１１が、後方側それぞれに分割甲板固定金具１２が取り付けられている。この状態で、左右の支持体５０と５１とが丁番９によって、規制されながら、パネル１とパネル６との挟む中心角を自由に変化させうることが可能となっている。【００１２】図４は、先の分割甲板７の底面図で、分割円卓の甲板であり、片側の側線１３と他方の側線１４、外側の円弧１７、内側の円弧１８とで構成されている。外側の円弧１７のなす弦の長さが人の座る巾に当り、ゆったり度を決める。両方の側線１３、１４とで挟む角度が集合テーブルの分割数を決定する中心角となる。内側の円弧は、天板の奥行きを決め、かつ、吊り下げ甲板４、７の内側飛び出しを逃がす寸法となる。裏面前方には、分割甲板固定金具１１の中心と一致するように鬼目ナット１５が埋め込まれ、頭には座がつけられている。後方には、分割甲板固定金具１２の穴に中心が一致するようにダボ１６が埋め込まれている。これらの金具とアングル丁番５とで分割甲板７と左右の支持体５０，５１とが一体に固定される。開放するときは、前方固定金具１１の雄ネジをゆるめれば丁番側に折り畳める。また、甲板を固定するのに、アングル丁番５を使わず、他の場所からもって来る場合は、前方の固定金具１１を２箇所ゆるめればよく、簡単に組み立て、開放ができる仕組みである。【００１３】図５−１は、先ほどの図２と同じものを再掲しているが、アングル丁番５の拡大箇所Ａを示している。図５−２は、Ａの拡大図でパネル６に分割甲板７がアングル丁番５にて吊り下げられている。分割甲板７の裏面側にアングル丁番５が留められており、表面側はパネル６と接している。この際、クッションなどが挟まれるのがより良い。図５−３はアングル丁番５の拡大図でパネル６に取り付けられる方がアングル型となっている。このアングル型の内側に分割甲板７が入るので、傷つき防止策が施されるように充分な寸法とする。アングル丁番５は、パネル６と上面および側面のビス取り付け穴２０，２１それぞれにより、強固に取り付けられる。また、ビス取り付け穴２２によって、分割甲板７の裏面に強固に取り付けられる。【００１４】図６−１は、前方固定金具１１の正面図で、図６−２は同側面図、図６−３は、Ｃ−Ｃ断面図である。前方固定金具１１はＬ型の本体に雄ネジ握り部分２３と雄ネジ２４、雄ネジ案内スリーブ２５とから構成されている。さらに、雄ネジ握り部分２３は落下防止として支えピン２７によって、回転自由に支えられている。待機位置における雄ネジ２４の先端は、窪んでいる座２６のすぐ下方に位置しており、分割甲板７に埋め込まれた鬼目ナット１５の頭の座が、窪み２６に嵌って位置が決まれば、雄ネジ握り部分２３を持ち上げて、鬼目ナット１５に嵌めこみ、堅く固定することが出来る。これら一連の作業が簡単に出来るよう工夫された前方固定金具１１である。【００１５】図７は、上記一連の作業で組み立てられた分割ユニット６０の斜視図である。図の右側の支持体５１からは、分割甲板７が立て起こされ、アングル丁番５と左側支持体５０の後方固定金具１２のダボ用穴と前方固定金具１１とによって、しっかり固定されている。この状態で下部のキャスター８で自由に動かされ、集合されて、全体のテーブルを構成することが出来る。【００１６】図８は、００１５項の分割ユニット６０が２個並べられた状態の斜視図である。右側の支持体５１は左側の支持体５０の前飾り２の内側に隠れており、あたかも左右の支持体５０，５１が一体になったようである。図９は、図８の平面図で左側ユニット６０の前飾り２部分がはみ出している。中心側ではパネル１，６や分割甲板７がはみだしているが、お互いに当らないように分割甲板７の内側円弧１８のサイズが決められている。【００１７】図１０は、分割ユニット６０を全部集めて、円卓とした例である。全部の分割ユニット６０を集合するときに、最後の１ユニットをいれる場合、そのユニットの甲板をすこし、浮かし気味にして、支持パネルをはめ込んでから甲板を嵌めこみ、固定する。中心部分には、センターピラーを配置して、すっきり纏めることもよいし、回転盤としてもよい。前飾り上方にも更なる飾りを取り付けて仕上げをしてもよい。これらの例は円卓に関してではあるが、分割甲板を方形や五角形の分割甲板とすればさまざまな組合せが考えられ、例えば、円卓に方形のものをあわせれば、楕円となる。優れたテーブル拡大装置である。
【図面の簡単な説明】
【００１８】
【図１】この発明における一方側分割甲板支持体の実施形態における斜視図
【図２】この発明における他方側分割甲板支持体の実施形態における斜視図
【図３】この発明における左右支持体の実施形態における連結状態を示す斜視図
【図４】この発明の分割甲板の一例を示す実施形態における底面図
【図５−１】この発明のアングル丁番取り付け状態を示す実施形態における斜視図
【図５−２】この発明のアングル丁番取り付け状態の実施形態における部分拡大図
【図５−３】この発明のアングル丁番の実施形態における斜視図
【図６−１】この発明の前方固定金具の実施形態における正面図
【図６−２】この発明の前方固定金具の実施形態における側面図
【図６−３】この発明の前方固定金具の実施形態における断面図
【図７】この発明の分割ユニットの実施形態における一例の斜視図
【図８】この発明の分割ユニットを２個集合させた一例の実施形態における斜視図
【図９】この発明の分割ユニットを２個集合させた一例の実施形態における平面図
【図１０】この発明の分割ユニット多数を集合させ、円卓を完成させた実施形態における斜視図
【符号の説明】
１    一方側パネル
２    前飾り
４    分割甲板
５    アングル丁番
６    他方側パネル
７    分割甲板
９    ３関節丁番
１１  前方固定金具
１２  後方固定金具
５０  一方側支持体
５１  他方側支持体
６０  分割ユニット
【図１】
2010000326.tif 000003
【図２】
2010000326.tif 000004
【図３】
2010000326.tif 000005
【図４】
2010000326.tif 000006
【図５−１】
2010000326.tif 000007
【図５−２】
2010000326.tif 000008
【図５−３】
2010000326.tif 000009
【図６−１】
2010000326.tif 000010
【図６−２】
2010000326.tif 000011
【図６−３】
2010000326.tif 000012
【図７】
2010000326.tif 000013
【図８】
2010000326.tif 000014
【図９】
2010000326.tif 000015
【図１０】
2010000326.tif 000016